(57)【特許請求の範囲】
【請求項１】
身体の血管内の塞栓コイルを捕捉する塞栓コイル回収システムであって、
シースに沿って内部に延びる内腔を持つ柔軟な長尺の管の形状をとり、基部と先端部を有するシースと、
基端部、先端部、および円筒部に沿って内部に延びる内腔を持つ円筒部を有する塞栓コイル回収器と、
基端部と先端部を持つ起動ワイヤとを備えており、
前記塞栓コイル回収器は顎部を有し、前記顎部は第１の顎、第２の顎、および第３の顎を持ち、各顎は長尺の管部の延長部をなしており、各顎は基端部、先端部、第１の長手方向端縁および第２の長手方向端縁を有しており、前記顎の前記基端部は前記円筒部の前記先端部に付いており、前記顎のうちの二つは前記長尺の管部の長手方向軸線から離れるように外側に傾けられており、前記塞栓コイル回収器はさらに複数の歯を有しており、各歯は底辺を持ち概略的には三角形の形状であり、各歯の前記底辺は前記顎部に付いており、
前記起動ワイヤは前記シースの前記内腔の内部に摺動可能に配置され、前記起動ワイヤの前記先端部は前記円筒部の前記基端部に取り付けられており、
前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いており、
前記第１の顎、第２の顎および第３の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である塞栓コイル回収システム。
【請求項２】
身体の血管内の塞栓コイルを捕捉する塞栓コイル回収器であって、
基端部、先端部、および円筒部に沿って内部に延びる内腔を持つ円筒部と、
顎部と、
複数の歯を備えており、
前記顎部は第１の顎、第２の顎、および第３の顎を持ち、各顎は長尺の管部の延長部をなしており、各顎は基端部、先端部、第１の長手方向端縁、および第２の長手方向端縁を有しており、前記顎の前記基端部は前記円筒部の前記先端部に付いており、前記顎のうちの二つは前記長尺の管部の長手方向軸線から離れるように外側に傾けられており、
各歯は底辺を持ち概略的には三角形の形状であり、各歯の前記底辺は前記顎部に付いており、
前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いており、
前記第１の顎、第２の顎および第３の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である塞栓コイル回収器。
【請求項３】
身体の血管内の塞栓コイルを捕捉する塞栓コイル回収システムであって、
シースに沿って内部に延びる内腔を持つ柔軟な長尺の管の形状をとり、基部と先端部を有するシースと、
基端部、先端部、および円筒部に沿って内部に延びる内腔を持つ円筒部を有する塞栓コイル回収器と、
基端部と先端部を持つ起動ワイヤとを備えており、
前記塞栓コイル回収器は顎部を有し、前記顎部は第１の顎および第２の顎を持ち、各顎は長尺の管部の半円筒部をなしており、各顎は基端部、先端部、第１の長手方向端縁および第２の長手方向端縁を有しており、前記顎の前記基端部は前記円筒部の前記先端部に付いており、前記顎のうちの一つは前記長尺の管部の長手方向軸線から離れるように外側に傾けられており、前記塞栓コイル回収器はさらに複数の歯を有しており、各歯は底辺を持ち概略的には三角形の形状であり、各歯の前記底辺は前記顎部に付いており、
前記起動ワイヤは前記シースの前記内腔の内部に摺動可能に配置され、前記起動ワイヤの前記先端部は前記円筒部の前記基端部に取り付けられており、
前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いており、
前記第１の顎および第２の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である塞栓コイル回収システム。
【請求項４】
身体の血管内の塞栓コイルを捕捉する塞栓コイル回収器であって、
基端部、先端部、および円筒部に沿って内部に延びる内腔を持つ円筒部と、
顎部と、
複数の歯を備えており、
前記顎部は第１の顎および第２の顎を持ち、各顎は長尺の管部の半円筒部をなしており、各顎は基端部、先端部、第１の長手方向端縁、および第２の長手方向端縁を有しており、前記顎の前記基端部は前記円筒部の前記先端部に付いており、前記顎のうちの一つは前記長尺の管部の長手方向軸線から離れるように外側に傾けられており、
各歯は底辺を持ち概略的には三角形の形状であり、各歯の前記底辺は前記顎部に付いており、
前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いており、
前記第１の顎および第２の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である塞栓コイル回収器。
【請求項５】
身体の血管内の医療器具を捕捉する医療器具回収システムであって、
シースに沿って内部に延びる内腔を持つ柔軟な長尺の管の形状をとり、基部と先端部を有するシースと、
基端部、先端部、および円筒部に沿って内部に延びる内腔を持つ円筒部を有する医療器具回収器と、
基端部と先端部を持つ起動ワイヤとを備えており、
前記医療器具回収器は顎部を有し、前記顎部は第１の顎および第２の顎を持ち、各顎は長尺の管部の半円筒部をなしており、各顎は基端部、先端部、第１の長手方向端縁および第２の長手方向端縁を有しており、前記顎の前記基端部は前記円筒部の前記先端部に付いており、前記顎のうちの一つは前記長尺の管部の長手方向軸線から離れるように外側に傾けられており、前記医療器具回収器はさらに複数の歯を有しており、各歯は底辺を持ち概略的には三角形の形状であり、各歯の前記底辺は前記顎部に付いており、
前記起動ワイヤは前記シースの前記内腔の内部に摺動可能に配置され、前記起動ワイヤの前記先端部は前記円筒部の前記基端部に取り付けられており、
前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いており、
前記第１の顎および第２の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である医療器具回収システム。
【請求項６】
前記医療器具回収器は基端部と先端部を持つ長手方向脚部を有しており、前記長手方向脚部の前記基端部は前記顎の一つの前記先端部に付いている請求項５に記載の医療器具回収システム。
【請求項７】
前記長手方向脚部は放射線不透過性の目印部を有する請求項６に記載の医療器具回収システム。
【請求項８】
身体の血管内の医療器具を捕捉する医療器具回収器であって、
基端部、先端部、および円筒部に沿って内部に延びる内腔を持つ円筒部と、
顎部と、
複数の歯を備えており、
前記顎部は第１の顎および第２の顎を持ち、各顎は長尺の管部の半円筒部をなしており、各顎は基端部、先端部、第１の長手方向端縁、および第２の長手方向端縁を有しており、前記顎の前記基端部は前記円筒部の前記先端部に付いており、前記顎のうちの一つは前記長尺の管部の長手方向軸線から離れるように外側に傾けられており、
各歯は底辺を持ち概略的には三角形の形状であり、各歯の前記底辺は前記顎部に付いており、
前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いており、
前記顎の前記長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である医療器具回収器。
【請求項９】
前記医療器具回収器は基端部と先端部を持つ長手方向脚部を有しており、前記長手方向脚部の前記基端部は前記顎の一つの前記先端部に付いている請求項８に記載の医療器具回収器。
【請求項１０】
前記長手方向脚部は放射線不透過性の目印部を有する請求項９に記載の医療器具回収器。
【請求項１１】
身体の血管内の塞栓コイルを捕捉する塞栓コイル回収器であって、
基端部、先端部、および円筒部に沿って内部に延びる内腔を持つ円筒部と、
顎部と、
複数の歯を備えており、
前記顎部は第１の顎および第２の顎を持ち、各顎は長尺の管部の半円筒部をなしており、各顎は基端部、先端部、第１の長手方向端縁、および第２の長手方向端縁を有しており、前記顎の前記基端部は前記円筒部の前記先端部に付いており、前記顎のうちの一つは前記長尺の管部の長手方向軸線から離れるように外側に傾けられており、
各歯は底辺と頂点を持ち、各歯の前記底辺は前記顎部に付いており、
前記複数の歯は副歯と主歯の形態をとっており、各主歯は底辺および頂点を有しており、各主歯の前記底辺は前記顎部に付いており、各主歯の前記頂点は各主歯の前記底辺よりも基端側の方向に延びており、各副歯は底辺および頂点を有しており、各副歯の前記底辺は顎部に付いており、各副歯の前記頂点は各副歯の前記底辺に対して法線方向に延びており、
前記第１の顎および第２の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である塞栓コイル回収器。
【発明の詳細な説明】
【０００１】
【発明の属する技術分野】
本発明は、身体の血管系の内部にある物体を回収するための回収システムに係り、さらに具体的には、血管内の医療器具の除去に使用される回収システムに関する。さらに詳しくは、この回収システムは、脳内の塞栓コイルの除去または再移動に使用されるべき塞栓コイル回収システムの形状をとる。
【０００２】
【従来の技術】
動脈瘤の処置のため、または血栓形成の促進による血管の閉塞のために、医師が種々の器具を人間の身体内の血管に配置することが長年の間、行われてきている。かかる器具としては、膨張バルーン、液体投薬、ステント、および塞栓コイルがある。塞栓コイルは、螺旋状に巻かれたコイル、無作為に巻かれたコイル、他のコイルの内部で巻かれたコイル、または他の多くのコイル形態の形状をとりうる。一般的に、これらのコイルは、放射線不透過性の金属材料、例えばプラチナ、金、およびタングステン、またはこれらの材料の合金によって製造されている。
【０００３】
“Stretch Resistant Embolic Coil with Variable Stiffness（可変剛性を持つ引っ張り耐性のある塞栓コイル）”という名称の米国特許第６，１７９，８５７号（特許文献１）は、かかる塞栓コイルのデザインを開示する。この特許に開示されたコイルは螺旋状に巻かれたコイルであって、近接するターンをスポット溶接したコイルである。スポット溶接するターンの組み合わせを変えることによって、所定の柔軟性を有する引っ張り耐性のあるコイルが形成される。“Embolic Coil Deployment System with Improved Embolic Coil（改良された塞栓コイルを持つ塞栓コイル配備システム）”という名称の米国特許第６，１８３，４９１号（特許文献２）は、他のコイル形態を開示し、このコイル形態は、引っ張り耐性のある比較的柔軟な基部を有する塞栓コイルである。
【０００４】
血流を防止するために動脈瘤内部に塞栓コイルを配置することに代えて、動脈瘤を処置するためにステントが使用されうる。Robert P. Letendre等に付与された米国特許第６，２６７，７８３号（特許文献３）はかかるステントを開示する。この特許に開示されたステントは、動脈瘤の母体となる血管内に配置されて、動脈瘤の開口を覆って血流を遮るように配置される自動膨張ステントである。また他のステント式動脈瘤処置器具が、本願と同じ譲受人に譲渡されている“Stent Aneurysm Treatment System and Method（ステント式動脈瘤処置システムおよび方法）”という名称の米国特許第６，３６１，５５８号（特許文献４）に開示されている。この特許は様々な形態の血管系ステントを開示し、これらのステントは血管の途中の様々な位置にある動脈瘤を閉塞または部分的に閉塞するための動脈瘤カバーとしても使用しうる。
【０００５】
ある事例では、塞栓コイルまたはステントは、血管から除去して、その後、再移動または交換しなければならない。さらに、ステントはその耐用寿命を超えて使用されると交換する必要が生ずることがある。塞栓コイルまたはステントの除去のための公知の処置は、外科的に器具を血管から取り除くことである。しかし、この方法は、時間がかかり患者に傷を残す。柔軟な医療器具の開発によって、最小侵襲的外科処置を用いて塞栓コイルおよびステントを除去することが可能になっている。本願と同じ譲受人に譲渡されている“Object Retrieval Method and Apparatus（物体回収方法および装置）”という名称の米国特許第５，０９８，４４０号（特許文献５）はかかる器具を開示する。この特許は、二つの交差するワイヤループでステントを捕捉する装置を開示する。これらのワイヤループはステントを滑るようになっており、ワイヤの端部が後方に引かれると、ループがステントをしっかり掴む。このようにしてステントはガイドカテーテルに捕捉されて引っ張り出される。
【０００６】
“Retractable Wire Catheter Device and Method（退避可能なワイヤカテーテル器具および方法）”という名称の米国特許第５，２１７，４８４号（特許文献６）は、配備された血管閉塞器具の回収または位置調整に使用されうる装置を開示する。この特許は、複数の顎部を持つクランプを有するカテーテル器具を開示する。このクランプが血管閉塞ワイヤ上に配置され、押しワイヤが後方に引かれると、クランプの顎部が閉じ、血管閉塞ワイヤを回収のために捕捉する。“Spring Based Multi-purpose Medical Instrument（スプリングによる多目的医療器具）”という名称の米国特許第５，７８２，７４７号（特許文献７）は、スプリング顎式の医療器具を開示する。血管内の物体を捕捉するのに使用されるこの器具は、様々な顎構造を有する。このような顎構造には、物体を潰すための対向するギザギザな表面を有する形態と、物体を把持するのに適した閉じたループ状の顎を有する形態がある。
【０００７】
また、“Jaw Assembly for an Endoscopic Instrument（内視鏡器具のための顎組立体）”という名称の米国特許第５，８４０，０４３号（特許文献８）は回収器具を開示する。この特許は、半径方向に配置された複数の歯を持つカップを有する顎組立体を備えた器具を開示する。ナイフ状の鋭利な縁を有するこの顎組立体は、押し／引きワイヤによって作動され、複数のサンプル生検鉗子を医師が得ることを可能にする。
【０００８】
【特許文献１】
米国特許第６，１７９，８５７号明細書
【特許文献２】
米国特許第６，１８３，４９１号明細書
【特許文献３】
米国特許第６，２６７，７８３号明細書
【特許文献４】
米国特許第６，３６１，５５８号明細書
【特許文献５】
米国特許第５，０９８，４４０号明細書
【特許文献６】
米国特許第５，２１７，４８４号明細書
【特許文献７】
米国特許第５，７８２，７４７号明細書
【特許文献８】
米国特許第５，８４０，０４３号明細書
【０００９】
【発明が解決しようとする課題】
人体の血管系から医療器具を回収するための装置および方法の改良の要望がある。さらに具体的には、きわめて小さい直径を有し、塞栓コイルを捕捉して身体の血管系から除去するまでコイルをしっかり保持する顎組立体を有する装置の要望がある。かかる装置は、非常に小さいマイクロカテーテル内に配置され、続いて人間の脳血管内部に配置されるようになっていてもよい。当然ではあるが、かかる血管は非常に小さくその長さ全体にわたって非常に曲がりくねっている。
【００１０】
【課題を解決するための手段】
一つの観点からは、本発明によれば、身体の血管内の塞栓コイルを捕捉する塞栓コイル回収システムが提供される。この塞栓コイル回収システムは、シースに沿って内部に延びる内腔を持つ柔軟な長尺の管の形状をとるシースを有する。このシースは基部と先端部を有する。
【００１１】
また、この塞栓コイル回収システムは円筒部を有する塞栓コイル回収器を備えており、この円筒部は基端部、先端部、および円筒部に沿って内部に延びる内腔を持つ。また、塞栓コイル回収器は顎部を有し、顎部は第１の顎、第２の顎、および第３の顎を持つ。各顎は長尺の管部の延長部をなす。各顎は、基端部、先端部、第１の長手方向端縁および第２の長手方向端縁を有する。顎の基端部は円筒部の先端部に付いている。顎のうちの二つは長尺の管部の長手方向軸線から離れるように外側に傾けられている。さらに塞栓コイル回収器は複数の歯を有しており、各歯は底辺を持ち概略的には三角形の形状であり、各歯の底辺は顎部に付いている。
【００１２】
また、この塞栓コイル回収システムは、基端部と先端部を持つ起動ワイヤを有する。このワイヤはシースの内腔の内部に摺動可能に配置されている。ワイヤの先端部は円筒部の基部に取り付けられている。
【００１３】
別の観点からは本発明によれば、身体の血管内の塞栓コイルを捕捉する塞栓コイル回収器が提供される。この塞栓コイル回収器は円筒部を有しており、円筒部は基端部、先端部、および円筒部に沿って内部に延びる内腔を持つ。また、塞栓コイル回収器は顎部を有し、顎部は第１の顎、第２の顎、および第３の顎を持つ。
【００１４】
各顎は長尺の管部の延長部をなす。各顎は基端部、先端部、第１の長手方向端縁、および第２の長手方向端縁を有する。顎の基端部は円筒部の先端部に付いている。顎のうちの二つは長尺の管部の長手方向軸線から離れるように外側に傾けられている。さらに、塞栓コイル回収器は複数の歯を有しており、各歯は底辺を持ち概略的には三角形の形状である。各歯の底辺は顎部に付いている。
【００１５】
別の観点からは本発明によれば、身体の血管内の塞栓コイルを捕捉する塞栓コイル回収システムが提供される。この塞栓コイル回収システムは、シースに沿って内部に延びる内腔を持つ柔軟な長尺の管の形状をとるシースを有する。このシースは基部と先端部を有する。
【００１６】
また、この塞栓コイル回収システムは円筒部を有する塞栓コイル回収器を備えており、この円筒部は基端部、先端部、および円筒部に沿って内部に延びる内腔を持つ。また、塞栓コイル回収器は顎部を有し、顎部は第１の顎および第２の顎を持つ。各顎は長尺の管部の半円筒部をなす。各顎は、基端部、先端部、第１の長手方向端縁および第２の長手方向端縁を有する。顎の基端部は円筒部の先端部に付いている。顎のうちの一つは長尺の管部の長手方向軸線から離れるように外側に傾けられている。さらに塞栓コイル回収器は複数の歯を有しており、各歯は底辺を有する。各歯は概略的には三角形の形状である。各歯の底辺は顎部に付いている。
【００１７】
また、この塞栓コイル回収器システムは、基端部と先端部を持つ起動ワイヤを有する。このワイヤはシースの内腔の内部に摺動可能に配置されている。ワイヤの先端部は円筒部の基部に取り付けられている。
【００１８】
別の観点からは本発明によれば、身体の血管内の塞栓コイルを捕捉する塞栓コイル回収器が提供される。塞栓コイル回収器は円筒部を有し、円筒部は基端部、先端部、および円筒部に沿って内部に延びる内腔を持つ。また、塞栓コイル回収器は顎部を有し、顎部は第１の顎および第２の顎を持つ。各顎は長尺の管部の半円筒部をなす。
【００１９】
各顎は、基端部、先端部、第１の長手方向端縁および第２の長手方向端縁を有する。顎の基端部は円筒部の先端部に付いている。顎のうちの一つは長尺の管部の長手方向軸線から離れるように外側に傾けられている。さらに塞栓コイル回収器は複数の歯を有しており、各歯は底辺を持ち概略的には三角形の形状である。各歯の底辺は顎部に付いている。
【００２０】
別の観点からは本発明によれば、身体の血管内の医療器具を捕捉する医療器具回収システムが提供される。この医療器具回収システムは、シースに沿って内部に延びる内腔を持つ柔軟な長尺の管の形状をとるシースを有する。このシースは基部と先端部を有する。
【００２１】
また、この医療器具回収システムは円筒部を有する医療器具回収器を備えており、この円筒部は基端部、先端部、および円筒部に沿って内部に延びる内腔を持つ。また、医療器具回収器は顎部を有し、顎部は第１の顎および第２の顎を持つ。各顎は長尺の管部の半円筒部をなす。各顎は、基端部、先端部、第１の長手方向端縁および第２の長手方向端縁を有する。顎の基端部は円筒部の先端部に付いている。顎のうちの一つは長尺の管部の長手方向軸線から離れるように外側に傾けられている。さらに医療器具回収器は複数の歯を有しており、各歯は底辺を持ち概略的には三角形の形状である。各歯の底辺は顎部に付いている。
【００２２】
また、この医療器具回収器システムは、基端部と先端部を持つ起動ワイヤを有する。このワイヤはシースの内腔の内部に摺動可能に配置されている。ワイヤの先端部は円筒部の基部に取り付けられている。
【００２３】
さらに別の観点からは本発明によれば、身体の血管内の医療器具を捕捉する医療器具回収器が提供される。この医療器具回収器は円筒部を有しており、円筒部は基端部、先端部、および円筒部に沿って内部に延びる内腔を持つ。また、医療器具回収器は顎部を有し、顎部は第１の顎および第２の顎を持つ。
【００２４】
各顎は長尺の管部の半円筒部をなす。各顎は、基端部、先端部、第１の長手方向端縁および第２の長手方向端縁を有する。顎の基端部は円筒部の先端部に付いている。顎のうちの一つは長尺の管部の長手方向軸線から離れるように外側に傾けられている。さらに医療器具回収器は複数の歯を有しており、各歯は底辺を持ち概略的には三角形の形状である。各歯の底辺は顎部に付いている。
【００２５】
別の観点からは本発明によれば、複数の歯は主歯の形態をとっており、主歯は鈍角および底辺を有する。各主歯は概略的には鈍角三角形の形状である。各主歯の底辺は基端部および先端部を有しており、顎部に付いている。各主歯の鈍角は底辺の基端部に位置している。さらに、複数の歯は副歯の形態をとっており、各副歯は底辺を持ち概略的には鋭角三角形の形状である。各副歯の底辺は顎部に付いている。
【００２６】
さらに別の観点からは本発明によれば、複数の歯は副歯と主歯の形態をとっている。各副歯は底辺を有する。主歯は鈍角および底辺を有する。各主歯は概略的には鈍角三角形の形状である。各主歯の底辺は基端部および先端部を有しており、顎部に付いている。各主歯の鈍角は各主歯の底辺の基端部に位置している。各副歯は概略的には鋭角三角形の形状である。各副歯の底辺は顎部に付いている。
【００２７】
同様の観点から本発明によれば、各顎の第１の長手方向端縁および第２の長手方向端縁は主歯および副歯が交互に存在するパターンを有する。各主歯は、隣り合う顎の隣り合う長手方向端縁にある副歯とほぼ直列しており、各副歯は、隣り合う顎の隣り合う長手方向端縁にある主歯とほぼ直列している。このパターンは、複数のポケットを形成する。ポケットは顎の長手方向端縁の主歯と副歯の間の隙間である。
【００２８】
別の観点からは本発明によれば、回収器は基端部と先端部を持つ長手方向脚部を有する。長手方向脚部の基端部は一つの顎の先端部に付いている。長手方向脚部は放射線不透過性の目印部を有していてもよい。さらに回収器は、高密度金属被覆材を有していてもよく、単一の長尺な円筒から形成されていてもよい。
【００２９】
別の観点からは本発明によれば、身体の血管内の塞栓コイルを捕捉する塞栓コイル回収器が提供される。塞栓コイル回収器は円筒部を有し、円筒部は基端部、先端部、および円筒部に沿って内部に延びる内腔を持つ。また、塞栓コイル回収器は顎部を有し、顎部は第１の顎および第２の顎を持つ。
【００３０】
各顎は長尺の管部の半円筒部をなす。各顎は、基端部、先端部、第１の長手方向端縁および第２の長手方向端縁を有する。顎の基端部は円筒部の先端部に付いている。顎のうちの一つは長尺の管部の長手方向軸線から離れるように外側に傾けられている。さらに医療器具回収器は顎部に付いた複数の歯を有する。各歯は底辺および頂点を有する。各歯の底辺は顎部に付いている。
【００３１】
さらに別の観点からは本発明によれば、複数の歯は主歯の形態をとっており、各主歯は底辺および頂点を有する。各主歯の底辺は顎部に付いている。各主歯の頂点は底辺よりも基端側の方向に延びている。さらに、複数の歯は副歯の形態をとってもよい。各副歯は底辺および頂点を有する。各副歯の底辺は顎部に付いている。各副歯の頂点は底辺に対して法線方向に延びている。
【００３２】
別の観点からは本発明によれば、複数の歯は副歯と主歯の形態をとっている。各主歯は底辺および頂点を有する。各主歯の底辺は顎部に付いている。各主歯の頂点は底辺よりも基端側の方向に延びている。各副歯は底辺および頂点を有する。各副歯の底辺は顎部に付いている。各副歯の頂点は底辺に対して法線方向に延びている。
【００３３】
さらに別の観点からは本発明によれば、第１の顎および第２の顎の第１の長手方向端縁および第２の長手方向端縁は主歯および副歯が交互に存在するパターンを有する。各主歯は、隣り合う顎の隣り合う長手方向端縁にある副歯とほぼ直列しており、各副歯は、隣り合う顎の隣り合う長手方向端縁にある主歯とほぼ直列している。このパターンは、複数のポケットを形成する。ポケットは顎の長手方向端縁の主歯と副歯の間の隙間である。
【００３４】
別の観点からは本発明によれば、身体の血管内の塞栓コイルまたは医療器具を捕捉する方法が提供される。この方法は、塞栓コイル回収システムまたは医療器具回収システムを準備する工程を有する。この塞栓コイル回収システムまたは医療器具回収システムは、シースと、塞栓コイル回収器または医療器具回収器と、起動ワイヤとを有する。塞栓コイル回収器または医療器具回収器は、円筒部と顎部と複数の歯を有しており、顎部は円筒部に付いた第１の顎、第２の顎および第３の顎を有し、複数の歯は顎部に付いており、起動ワイヤは円筒部に取り付けられている。
【００３５】
この方法は、さらに塞栓コイル回収システムまたは医療器具回収システムを人体の血管系に挿入し、シースの内部の起動ワイヤを推し進めて、塞栓コイル回収器または医療器具回収器をシースの先端部から抜け出させて、塞栓コイル回収器または医療器具回収器の顎を開放させる工程を有する。さらにこの方法は、塞栓コイル回収器または医療器具回収器を前進させて塞栓コイルまたは医療器具に顎を揃えて、シースを推し進めて、塞栓コイルを囲んだままで顎を閉じた状態にする。さらにこの方法は、塞栓コイル回収システムまたは医療器具回収システムを身体の血管系から除去する工程を有する。
【００３６】
本発明の上述した特徴および他の特徴ならびに効果は、本発明の好適な実施の形態に関する下記の説明および図面から明らかに理解できることだろう。
【００３７】
【発明の実施の形態】
図１は塞栓コイル回収システム１０を示し、塞栓コイル回収システム１０はシース１２、起動ワイヤ１４、および塞栓コイル回収器１６を備える。シース１２は約６０インチ（約１５２４ｍｍ）の長さを有しており、好ましくは約５０Ｄ乃至８０Ｄの範囲のジュロメータ硬さのポリマー材料から形成されている。シース１２の外径は約０．０３８インチ（約０．９６５ｍｍ）であり、シース１２の内腔１８の直径は約０．０２１インチ（約０．５３３ｍｍ）である。起動ワイヤ１４は約７０インチ（約１７７８ｍｍ）の長さを有しており、好ましくは金属材料から形成されている。起動ワイヤ１４の直径はシース１２の内腔１８の直径よりも小さく、起動ワイヤ１４はシース１２の内腔１８の内部で摺動することができる。塞栓コイル回収器１６はニッケルチタン合金管からレーザ切断され、起動ワイヤ１４の先端部２０に取り付けられている。
【００３８】
図２は、通常の開放配置状態にある塞栓コイル回収器１６を示す図である。塞栓コイル回収器１６は円筒部２２を有しており、円筒部２２は内腔（図示せず）と基部２６と先端部２８を持つ。円筒部２２は約０．０４０インチ（約１．０１６ｍｍ）の長さを有しており、好ましくはニッケルチタン合金により形成されている。円筒部２２の外径は約０．０１８インチ（約０．４５７ｍｍ）であり、円筒部２２の内腔の直径は約０．０１２インチ（約０．３０５ｍｍ）である。円筒部２２の壁３２には、複数の取付孔３０が形成されている。取付孔３０を利用することによって、起動ワイヤ１４の先端部２０が円筒部２２の内腔に固定される。
【００３９】
円筒部２２の先端部２８には、長尺の管部３４が付いている。長尺の管部３４は約０．１２インチ（約３．０４８ｍｍ）の長さを有し、好ましくはニッケルチタン合金により形成されている。長尺の管部３４の外径および管部３４の内腔（図示せず）の直径は、円筒部２２の外径および内径とほぼ同じである。長尺の管部３４からは顎部３８が形成されている。好ましくは、顎部３８は長尺の管部３４からレーザ切断された部分である。顎部３８は、第１の顎４０、第２の顎４２、および第３の顎４４を有しており、各顎４０，４２，４４は、長尺の管部３４の延長部をなしている。各顎４０，４２，４４は、先端部４８、基端部５０、第１の長手方向端縁５２、および第２の長手方向端縁５４を有する。顎４０，４２，４４の先端部４８は外側に傾けられており、先端部４８は長尺の管部３４の長手方向軸線から約０．００８インチ（約０．２０３ｍｍ）離れている。
【００４０】
第１の顎４０、第２の顎４２、および第３の顎４４は、長手方向脚部５６を有しており、各長手方向脚部５６は基端部５８および先端部６０を有する。長手方向脚部５６の基端部５８は顎４０，４２，４４の先端部４８に付いている。長手方向脚部５６は、約０．００２インチ（約０．０５１ｍｍ）の長さを有しており、Ｘ線透過観察で使用される放射線不透過性の目印部６２を有する。好ましくは、長手方向脚部５６は長尺の管部３４からレーザ切断された部分である。顎４０，４２，４４の第１の長手方向端縁５２および第２の長手方向端縁５４には、歯６６が設けられている。これらの歯６６については、図４の説明で詳述する。
【００４１】
図３は、閉じた配置状態の塞栓コイル回収器１６を示す図である。閉じた配置状態の塞栓コイル回収器１６の全体長は約０．１６インチ（約４．０６４ｍｍ）である。円筒部２２は起動ワイヤ１４を取り付けるための取付孔３０（１つのみ示す）を有する。顎部３８の形態をとる長尺の管部３４は、円筒部２２の先端部２８に付いている。顎部３８は、第１の顎４０、第２の顎４２、および第３の顎４４を有する。図から理解できるように、各顎４０，４２，４４は、長尺の管部３４の延長部をなしている。顎４０，４２，４４の先端部４８には長手方向脚部５６が付いており、長手方向脚部５６は放射線不透過性の目印部６２を有する。顎部３８の各顎４０，４２，４４は、第１の長手方向端縁５２および第２の長手方向端縁５４に設けられた複数の歯６６を有する。歯６６の形状については後述する。
【００４２】
図４は塞栓コイル回収器１６の歯６６を示す図である。歯６６は概略的には複数の三角形の形状であり、各三角形の部分は顎４０，４２，４４の長手方向端縁５２，５４についた底辺６８を有する。好ましくは、歯６６は長尺の管部３４からレーザ切断された部分である。歯６６は主歯７０の形態をとってもよい。主歯７０は概略的には鈍角三角形の形状であって、鈍角７４および底辺７６を有する。各主歯７０の底辺７６は基端部７８および先端部８０を有する。各主歯７０の鈍角７４は底辺７６の基端部７８に位置している。歯６６は副歯８２の形態をとってもよい。副歯８２は概略的には鋭角三角形の形状であって、底辺８６を有する。各副歯８２の底辺８６は顎４０，４２，４４の長手方向端縁５２，５４に付いている。
【００４３】
図４に示された歯６６の形態は、主歯７０と副歯８２の組み合わせを有する。各顎４０，４２，４４の長手方向端縁５２，５４に沿って主歯７０および副歯８２が交互に存在するパターンが設けられている。さらに、各主歯７０は、隣り合う顎４０，４２，４４の隣り合う長手方向端縁５２，５４にある副歯８２とほぼ直列しており、各副歯８２は、隣り合う顎４０，４２，４４の隣り合う長手方向端縁５２，５４にある主歯７０とほぼ直列している。このパターンは複数のポケット８８を形成する。ポケット８８は顎４０，４２，４４の長手方向端縁５２，５４の主歯７０と副歯８２の間の隙間である。各ポケット８８は約０．０１５インチ（約０．３８１ｍｍ）の幅と０．０１５インチ（約０．３８１ｍｍ）の高さを有する。ただし、回収されるべき塞栓コイル９０（図５乃至図８参照）のサイズにほぼ適合するようにポケット８８のサイズは変更しうる。
【００４４】
図５乃至図８は、塞栓コイル９０の捕捉するための塞栓コイル回収システム１０の使用の好適な方法を示す図である。図５に示すように、塞栓コイル回収システム１０を人体の血管系９２に挿入する。塞栓コイル回収器１６を起動ワイヤ１４に取り付けて、シース１２の内腔１８の内部に配置する。塞栓コイル回収システム１０は、回収すべき塞栓コイル９０に向けて前進させる。図６は、起動ワイヤ１４が前進させられて、塞栓コイル回収器１６がシース１２の内腔１８から抜け出した状態を示す。抜け出すことによって、塞栓コイル回収器１６の顎部３８の顎４０，４２，４４は、通常の開放状態になる。開放状態で、回収すべき塞栓コイル９０に顎部３８を揃える。
【００４５】
図７に示すように、次にシース１２を前進させ、塞栓コイル９０を囲んだままで塞栓コイル回収器１６の顎４０，４２，４４を閉じた状態にする。塞栓コイル９０は、顎４０，４２，４４の交互に並んだ主歯７０および副歯８２の間の隙間により形成されたポケット８８により捕捉される。図８は、塞栓コイル回収システム１０と身体の血管系から除去される塞栓コイル９０を示す。塞栓コイル回収システム１０が後進させられるとき、塞栓コイル９０はポケット８８に保持され、反り返った主歯７０の後方に（基端側に）詰め込まれる。従って、塞栓コイル９０が顎部３８から脱落することが防止される。
【００４６】
以上、塞栓コイルを回収するために人体の血管系に塞栓コイル回収システムを挿入する新規なシステムを説明した。以上、本発明の好ましい実施の形態を説明したが、本発明の趣旨からはずれることなく当業者が様々な修正を施すことが可能であるのは理解すべきことである。
【００４７】
例えば、塞栓コイル回収システムの顎部のバリエーションが考えられる。長尺の管部から形成された４つ以上の顎を顎部が有するようにしてもよい。各顎は、長尺の管部の延長部分であってよい。さらに別の構造では、塞栓コイル回収器を高密度金属被覆材、例えば金で被覆してもよい。この被覆材は、Ｘ線透過観察での反射を向上させることができる。
【００４８】
さらに別の構造では、顎の長手方向端縁５２，５４に沿って主歯および副歯により形成されたポケットは、サイズが異なっていてもよい。例えば、顎部の先端部では、小さい塞栓コイルを捕捉できるようにポケットが小さく、他の部分では大きい塞栓コイルを捕捉できるように顎部の基端部に向けてポケットが大きくなるようにしてもよい。この構造によれば、一つの顎部構造を医師が使用するだけで様々なサイズの塞栓コイルを捕捉することが可能である。
【００４９】
最後に、塞栓コイル回収器は、膨張バルーンまたはステントのような他の医療器具を捕捉するために使用してもよい。
【００５０】
これらの修正および他の修正は、本発明が関連する分野の当業者には容易であろうし、特許請求の範囲の中に含まれていると出願人は意図している。
【００５１】
この発明の具体的な実施態様は次の通りである。
（Ａ）身体の血管内の塞栓コイルを捕捉する塞栓コイル回収システムであって、
シースに沿って内部に延びる内腔を持つ柔軟な長尺の管の形状をとり、基部と先端部を有するシースと、
基端部、先端部、および円筒部に沿って内部に延びる内腔を持つ円筒部を有する塞栓コイル回収器と、
基端部と先端部を持つ起動ワイヤとを備えており、
前記塞栓コイル回収器は顎部を有し、前記顎部は第１の顎、第２の顎、および第３の顎を持ち、各顎は長尺の管部の延長部をなしており、各顎は基端部、先端部、第１の長手方向端縁および第２の長手方向端縁を有しており、前記顎の前記基端部は前記円筒部の先端部に付いており、前記顎のうちの二つは前記長尺の管部の長手方向軸線から離れるように外側に傾けられており、前記塞栓コイル回収器はさらに複数の歯を有しており、各歯は底辺を持ち概略的には三角形の形状であり、各歯の前記底辺は前記顎部に付いており、
前記起動ワイヤは前記シースの前記内腔の内部に摺動可能に配置され、前記起動ワイヤの先端部は前記円筒部の前記基部に取り付けられている塞栓コイル回収システム。
（１）前記複数の歯は主歯の形態をとっており、前記主歯は鈍角および底辺を有しており、各主歯は概略的には鈍角三角形の形状であり、各主歯の前記底辺は基端部および先端部を有し前記顎部に付いており、各主歯の前記鈍角は各主歯の前記底辺の前記基端部に位置している実施態様（Ａ）に記載の塞栓コイル回収システム。
（２）前記複数の歯は副歯の形態をとっており、各副歯は底辺を持ち概略的には鋭角三角形の形状であり、各副歯の前記底辺は前記顎部に付いている実施態様（Ａ）に記載の塞栓コイル回収システム。
（３）前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いている実施態様（Ａ）に記載の塞栓コイル回収システム。
（４）前記第１の顎、第２の顎および第３の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である実施態様（３）に記載の塞栓コイル回収システム。
（Ｂ）身体の血管内の塞栓コイルを捕捉する塞栓コイル回収器であって、
基端部、先端部、および円筒部に沿って内部に延びる内腔を持つ円筒部と、
顎部と、
複数の歯を備えており、
前記顎部は第１の顎、第２の顎、および第３の顎を持ち、各顎は長尺の管部の延長部をなしており、各顎は基端部、先端部、第１の長手方向端縁、および第２の長手方向端縁を有しており、前記顎の前記基端部は前記円筒部の前記先端部に付いており、前記顎のうちの二つは前記長尺の管部の長手方向軸線から離れるように外側に傾けられており、
各歯は底辺を持ち概略的には三角形の形状であり、各歯の前記底辺は前記顎部に付いている塞栓コイル回収器。
（５）前記複数の歯は主歯の形態をとっており、前記主歯は鈍角および底辺を有しており、各主歯は概略的には鈍角三角形の形状であり、各主歯の前記底辺は基端部および先端部を有し前記顎部に付いており、各主歯の前記鈍角は各主歯の前記底辺の前記基端部に位置している実施態様（Ｂ）に記載の塞栓コイル回収器。
【００５２】
（６）前記複数の歯は副歯の形態をとっており、各副歯は底辺を持ち概略的には鋭角三角形の形状であり、各副歯の前記底辺は前記顎部に付いている実施態様（Ｂ）に記載の塞栓コイル回収器。
（７）前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いている実施態様（Ｂ）に記載の塞栓コイル回収器。
（８）前記第１の顎、第２の顎および第３の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である実施態様（７）に記載の塞栓コイル回収器。
（Ｃ）身体の血管内の塞栓コイルを捕捉する塞栓コイル回収システムであって、
シースに沿って内部に延びる内腔を持つ柔軟な長尺の管の形状をとり、基部と先端部を有するシースと、
基端部、先端部、および円筒部に沿って内部に延びる内腔を持つ円筒部を有する塞栓コイル回収器と、
基端部と先端部を持つ起動ワイヤとを備えており、
前記塞栓コイル回収器は顎部を有し、前記顎部は第１の顎および第２の顎を持ち、各顎は長尺の管部の半円筒部をなしており、各顎は基端部、先端部、第１の長手方向端縁および第２の長手方向端縁を有しており、前記顎の前記基端部は前記円筒部の先端部に付いており、前記顎のうちの一つは前記長尺の管部の長手方向軸線から離れるように外側に傾けられており、前記塞栓コイル回収器はさらに複数の歯を有しており、各歯は底辺を持ち概略的には三角形の形状であり、各歯の前記底辺は前記顎部に付いており、
前記起動ワイヤは前記シースの前記内腔の内部に摺動可能に配置され、前記起動ワイヤの先端部は前記円筒部の前記基部に取り付けられている塞栓コイル回収システム。
（９）前記複数の歯は主歯の形態をとっており、前記主歯は鈍角および底辺を有しており、各主歯は概略的には鈍角三角形の形状であり、各主歯の前記底辺は基端部および先端部を有し前記顎部に付いており、各主歯の前記鈍角は各主歯の前記底辺の前記基端部に位置している実施態様（Ｃ）に記載の塞栓コイル回収システム。
（１０）前記複数の歯は副歯の形態をとっており、各副歯は底辺を持ち概略的には鋭角三角形の形状であり、各副歯の前記底辺は前記顎部に付いている実施態様（Ｃ）に記載の塞栓コイル回収システム。
【００５３】
（１１）前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いている実施態様（Ｃ）に記載の塞栓コイル回収システム。
（１２）前記第１の顎および第２の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である実施態様（１１）に記載の塞栓コイル回収システム。
（Ｄ）身体の血管内の塞栓コイルを捕捉する塞栓コイル回収器であって、
基端部、先端部、および円筒部に沿って内部に延びる内腔を持つ円筒部と、
顎部と、
複数の歯を備えており、
前記顎部は第１の顎および第２の顎を持ち、各顎は長尺の管部の半円筒部をなしており、各顎は基端部、先端部、第１の長手方向端縁、および第２の長手方向端縁を有しており、前記顎の前記基端部は前記円筒部の前記先端部に付いており、前記顎のうちの一つは前記長尺の管部の長手方向軸線から離れるように外側に傾けられており、
各歯は底辺を持ち概略的には三角形の形状であり、各歯の前記底辺は前記顎部に付いている塞栓コイル回収器。
（１３）前記複数の歯は主歯の形態をとっており、前記主歯は鈍角および底辺を有しており、各主歯は概略的には鈍角三角形の形状であり、各主歯の前記底辺は基端部および先端部を有し前記顎部に付いており、各主歯の前記鈍角は各主歯の前記底辺の前記基端部に位置している実施態様（Ｄ）に記載の塞栓コイル回収器。
（１４）前記複数の歯は副歯の形態をとっており、各副歯は底辺を持ち概略的には鋭角三角形の形状であり、各副歯の前記底辺は前記顎部に付いている実施態様（Ｄ）に記載の塞栓コイル回収器。
（１５）前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いている実施態様（Ｄ）に記載の塞栓コイル回収器。
【００５４】
（１６）前記第１の顎および第２の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である実施態様（１５）に記載の塞栓コイル回収器。
（Ｅ）身体の血管内の医療器具を捕捉する医療器具回収システムであって、
シースに沿って内部に延びる内腔を持つ柔軟な長尺の管の形状をとり、基部と先端部を有するシースと、
基端部、先端部、および円筒部に沿って内部に延びる内腔を持つ円筒部を有する医療器具回収器と、
基端部と先端部を持つ起動ワイヤとを備えており、
前記医療器具回収器は顎部を有し、前記顎部は第１の顎および第２の顎を持ち、各顎は長尺の管部の半円筒部をなしており、各顎は基端部、先端部、第１の長手方向端縁および第２の長手方向端縁を有しており、前記顎の前記基端部は前記円筒部の先端部に付いており、前記顎のうちの一つは前記長尺の管部の長手方向軸線から離れるように外側に傾けられており、前記医療器具回収器はさらに複数の歯を有しており、各歯は底辺を持ち概略的には三角形の形状であり、各歯の前記底辺は前記顎部に付いており、
前記起動ワイヤは前記シースの前記内腔の内部に摺動可能に配置され、前記起動ワイヤの先端部は前記円筒部の前記基部に取り付けられている医療器具回収システム。
（１７）前記複数の歯は主歯の形態をとっており、前記主歯は鈍角および底辺を有しており、各主歯は概略的には鈍角三角形の形状であり、各主歯の前記底辺は基端部および先端部を有し前記顎部に付いており、各主歯の前記鈍角は各主歯の前記底辺の前記基端部に位置している実施態様（Ｅ）に記載の医療器具回収システム。
（１８）前記複数の歯は副歯の形態をとっており、各副歯は底辺を持ち概略的には鋭角三角形の形状であり、各副歯の前記底辺は前記顎部に付いている実施態様（Ｅ）に記載の医療器具回収システム。
（１９）前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いている実施態様（Ｅ）に記載の医療器具回収システム。
（２０）前記第１の顎および第２の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である実施態様（１９）に記載の医療器具回収システム。
【００５５】
（２１）前記医療器具回収器は基端部と先端部を持つ長手方向脚部を有しており、前記長手方向脚部の前記基端部は前記顎の一つの先端部に付いている実施態様（Ｅ）に記載の医療器具回収システム。
（２２）前記長手方向脚部は放射線不透過性の目印部を有する実施態様（２１）に記載の医療器具回収システム。
（２３）前記医療器具回収器は高密度金属被覆材を有している実施態様（Ｅ）に記載の医療器具回収システム。
（２４）前記医療器具回収器は単一の長尺な円筒から形成されている実施態様（Ｅ）に記載の医療器具回収システム。
（Ｆ）身体の血管内の医療器具を捕捉する医療器具回収器であって、
基端部、先端部、および円筒部に沿って内部に延びる内腔を持つ円筒部と、
顎部と、
複数の歯を備えており、
前記顎部は第１の顎および第２の顎を持ち、各顎は長尺の管部の半円筒部をなしており、各顎は基端部、先端部、第１の長手方向端縁、および第２の長手方向端縁を有しており、前記顎の前記基端部は前記円筒部の前記先端部に付いており、前記顎のうちの一つは前記長尺の管部の長手方向軸線から離れるように外側に傾けられており、
各歯は底辺を持ち概略的には三角形の形状であり、各歯の前記底辺は前記顎部に付いている医療器具回収器。
（２５）前記複数の歯は主歯の形態をとっており、前記主歯は鈍角および底辺を有しており、各主歯は概略的には鈍角三角形の形状であり、各主歯の前記底辺は基端部および先端部を有し前記顎部に付いており、各主歯の前記鈍角は各主歯の前記底辺の前記基端部に位置している実施態様（Ｆ）に記載の医療器具回収器。
【００５６】
（２６）前記複数の歯は副歯の形態をとっており、各副歯は底辺を持ち概略的には鋭角三角形の形状であり、各副歯の前記底辺は前記顎部に付いている実施態様（Ｆ）に記載の医療器具回収器。
（２７）前記複数の歯は副歯と主歯の形態をとっており、各副歯は底辺を有しており、各主歯は鈍角および底辺を持ち概略的には鈍角三角形の形状であり、各主歯の前記底辺は基端部および先端部を有し前記顎部に付いており、各主歯の前記鈍角は各主歯の前記底辺の前記基端部に位置しており、各副歯は概略的には鋭角三角形の形状であり、各副歯の前記底辺は前記顎部に付いている実施態様（Ｆ）に記載の医療器具回収器。
（２８）前記顎の前記長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である実施態様（２７）に記載の医療器具回収器。
（２９）前記医療器具回収器は基端部と先端部を持つ長手方向脚部を有しており、前記長手方向脚部の前記基端部は前記顎の一つの先端部に付いている実施態様（Ｆ）に記載の医療器具回収器。
（３０）前記長手方向脚部は放射線不透過性の目印部を有する実施態様（２９）に記載の医療器具回収器。
【００５７】
（３１）前記医療器具回収器は高密度金属被覆材を有している実施態様（Ｆ）に記載の医療器具回収器。
（３２）前記医療器具回収器は単一の長尺な円筒から形成されている実施態様（Ｆ）に記載の医療器具回収器。
（Ｇ）身体の血管内の塞栓コイルを捕捉する塞栓コイル回収器であって、
基端部、先端部、および円筒部に沿って内部に延びる内腔を持つ円筒部と、
顎部と、
複数の歯を備えており、
前記顎部は第１の顎および第２の顎を持ち、各顎は長尺の管部の半円筒部をなしており、各顎は基端部、先端部、第１の長手方向端縁、および第２の長手方向端縁を有しており、前記顎の前記基端部は前記円筒部の前記先端部に付いており、前記顎のうちの一つは前記長尺の管部の長手方向軸線から離れるように外側に傾けられており、
各歯は底辺と頂点を持ち、各歯の前記底辺は前記顎部に付いている塞栓コイル回収器。
（３３）前記複数の歯は主歯の形態をとっており、前記主歯は底辺および頂点を有しており、各主歯の前記底辺は前記顎部に付いており、各主歯の前記頂点は各主歯の前記底辺よりも基端側の方向に延びている実施態様（Ｇ）に記載の塞栓コイル回収器。
（３４）前記複数の歯は副歯の形態をとっており、各副歯は底辺および頂点を有しており、各副歯の前記底辺は顎部に付いており、各副歯の前記頂点は各副歯の前記底辺に対して法線方向に延びている実施態様（Ｇ）に記載の塞栓コイル回収器。
（３５）前記複数の歯は副歯と主歯の形態をとっており、前記主歯は底辺および頂点を有しており、各主歯の前記底辺は前記顎部に付いており、各主歯の前記頂点は各主歯の前記底辺よりも基端側の方向に延びており、各副歯は底辺および頂点を有しており、各副歯の前記底辺は顎部に付いており、各副歯の前記頂点は各副歯の前記底辺に対して法線方向に延びている実施態様（Ｇ）に記載の塞栓コイル回収器。
（３６）前記第１の顎および第２の顎の前記第１の長手方向端縁および第２の長手方向端縁は主歯および副歯が交互に存在するパターンを有しており、各主歯は、隣り合う顎の隣り合う長手方向端縁にある副歯とほぼ直列しており、各副歯は、隣り合う顎の隣り合う長手方向端縁にある主歯とほぼ直列しており、前記パターンは複数のポケットを形成し、前記ポケットは前記顎の前記長手方向端縁の前記主歯と前記副歯の間の隙間である実施態様（３５）に記載の塞栓コイル回収器。
（Ｈ）身体の血管内の塞栓コイルを捕捉する方法であって、
シースと、塞栓コイル回収器と、起動ワイヤとを備えており、塞栓コイル回収器が円筒部と顎部と複数の歯を有しており、顎部は円筒部に付いた第１の顎、第２の顎および第３の顎を有し、前記複数の歯が顎部に付いており、起動ワイヤは円筒部に取り付けられている塞栓コイル回収システムを準備する工程と、
前記塞栓コイル回収システムを人体の血管系に挿入する工程と、
前記シースの内部の前記起動ワイヤを推し進めて、前記塞栓コイル回収器を前記シースの先端部から抜け出させて、前記塞栓コイル回収器の顎を開放させる工程と、
前記塞栓コイル回収器を前進させて前記塞栓コイルに前記顎を揃える工程と、
前記シースを推し進めて、前記塞栓コイルを囲んだままで前記顎を閉じた状態にする工程と、
前記塞栓コイル回収システムを身体の血管系から除去する工程を備える方法。
（Ｉ）身体の血管内の医療器具を捕捉する方法であって、
シースと、医療器具回収器と、起動ワイヤとを備えており、医療器具回収器が円筒部と顎部と複数の歯を有しており、顎部は円筒部に付いた第１の顎、第２の顎および第３の顎を有し、前記複数の歯が顎部に付いており、起動ワイヤは円筒部に取り付けられている医療器具回収システムを準備する工程と、
前記医療器具回収システムを人体の血管系に挿入する工程と、
前記シースの内部の前記起動ワイヤを推し進めて、前記医療器具回収器を前記シースの先端部から抜け出させて、前記医療器具回収器の顎を開放させる工程と、
前記医療器具回収器を前進させて前記医療器具に前記顎を揃える工程と、
前記シースを推し進めて、前記医療器具を囲んだままで前記顎を閉じた状態にする工程と、
前記医療器具回収システムを身体の血管系から除去する工程を備える方法。
【００５８】
【発明の効果】
以上説明したように、本発明によれば、きわめて小さい直径を有し、塞栓コイルまたは医療器具を捕捉して身体の血管系から除去するまで塞栓コイルまたは医療器具をしっかり保持する顎組立体を有する回収システムが得られる。
【図面の簡単な説明】
【図１】シース、起動ワイヤ、および塞栓コイル回収器を有する塞栓コイル回収システムの拡大断面図である。
【図２】顎部が開放状態にある塞栓コイル回収器の拡大斜視図である。
【図３】顎部が閉じた状態にある塞栓コイル回収器の拡大斜視図である。
【図４】図３に示す塞栓コイル回収器を長手方向の線に沿って切断し単一平面上に展開した状態の側面図である。
【図５】血管内に挿入された塞栓コイル回収システムの拡大断面図である。
【図６】塞栓コイル回収システムの顎部をシースの内腔から抜け出させて開放状態にするために起動ワイヤが前進させられた状態の塞栓コイル回収システムを示す拡大断面図である。
【図７】塞栓コイル回収システムの顎部をシースの内腔に再び挿入して塞栓コイルを囲んだままで閉じた状態にするためにシースが前進させられた状態を示す塞栓コイル回収システムの拡大断面図である。
【図８】血管内から除去される塞栓コイル回収システムおよび塞栓コイルを示す拡大断面図である。
【符号の説明】
１０  塞栓コイル回収システム
１２  シース
１４  起動ワイヤ
１６  塞栓コイル回収器
１８  内腔
２０  先端部
２２  円筒部
２８  先端部
３０  取付孔
３２  壁
３８  顎部
３４  長尺の管部
４０  第１の顎
４２  第２の顎
４４  第３の顎
４８  先端部
５０  基端部
５２  第１の長手方向端縁
５４  第２の長手方向端縁
５６  長手方向脚部
５８  基端部
６０  先端部
６２  目印部
６６  歯
６８  底辺
７０  主歯
７４  鈍角
７６  底辺
７８  基端部
８０  先端部
８２  副歯
８６  底辺
８８  ポケット
９０  塞栓コイル
９２  血管系
【図１】
0004271426.tif 000002
【図２】
0004271426.tif 000003
【図３】
0004271426.tif 000004
【図４】
0004271426.tif 000005
【図５】
0004271426.tif 000006
【図６】
0004271426.tif 000007
【図７】
0004271426.tif 000008
【図８】
0004271426.tif 000009